(57)【要約】【課題】雄端子と雌端子との接点部の接触安定性を向上できるコネクタを提供する。【解決手段】コネクタ１は、雄コネクタ１２の雄端子収容室１５に設けられ、雄端子収容室１５に収容される雄端子１４と接触することで、雄端子収容室１５に対する雄端子１４の相対的な変位を抑制するリブ１１０と、雌コネクタ２の雌端子収容室５に設けられ、雌端子収容室５に収容される雌端子４と接触することで、雌端子収容室５に対する雌端子４の相対的な変位を抑制するリブ１０とを備える。リブ１１０は、雄端子１４の挿入動作において要求挿入力が最大となる位置よりタブ挿出口１３４側の位置において雄端子１４と接触し始めるように形成される。リブ１０は、雌端子４の挿入動作において要求挿入力が最大となる位置よりタブ挿入口３４側の位置において雌端子４と接触し始めるように形成される。【選択図】図１
2016054095.tif 000002
【特許請求の範囲】
【請求項１】
雄ハウジングと、先端にタブを有する雄端子と、前記雄ハウジングの内部に延在して中空状に形成され、延在方向の一方側に設けられる雄端子挿入口、及び前記延在方向の他方側に設けられるタブ挿出口を有する雄端子収容室と、を備える雄コネクタと、
雌ハウジングと、内部に挿入される前記雄端子の前記タブと接触する弾性接触片を有する雌端子と、前記雌ハウジングの内部に延在して中空状に形成され、前記延在方向の前記他方側に設けられる雌端子挿入口、及び前記延在方向の前記一方側に設けられるタブ挿入口を有する雌端子収容室と、を備える雌コネクタと、を具備し、
前記雄コネクタ及び前記雌コネクタは、
前記雄端子収容室に設けられ、前記雄端子収容室に収容される前記雄端子と接触することで、前記雄端子収容室に対する前記雄端子の相対的な変位を抑制する第一変位抑制部と、
前記雌端子収容室に設けられ、前記雌端子収容室に収容される前記雌端子と接触することで、前記雌端子収容室に対する前記雌端子の相対的な変位を抑制する第二変位抑制部と、のうち少なくとも一方を備え、
前記第一変位抑制部は、前記雄端子を前記雄端子収容室内の前記延在方向の所定の正規位置に収容するために前記雄端子挿入口から挿入する挿入動作において、前記雄端子を前記延在方向に移動させることができる要求挿入力が最大となる位置より前記タブ挿出口側の位置において、前記雄端子と接触し始めるように形成され、
前記第二変位抑制部は、前記雌端子を前記雌端子収容室内の前記延在方向の所定の正規位置に収容するために前記雌端子挿入口から挿入する挿入動作において、前記雌端子を前記延在方向に移動させることができる要求挿入力が最大となる位置より前記タブ挿入口側の位置において、前記雌端子と接触し始めるように形成される、
ことを特徴とするコネクタ。
【請求項２】
前記雄コネクタは、前記雄端子収容室の内壁面から内部側に突設され、外部側に弾性変形可能に形成され、前記雄端子が前記正規位置に収容されるときに前記雄端子を係止するランスを備え、
前記第一変位抑制部は、前記内壁面上の前記ランスより前記タブ挿出口側の位置において前記延在方向に沿って設けられるリブを有し、
前記雌コネクタは、前記雌端子収容室の内壁面から内部側に突設され、外部側に弾性変形可能に形成され、前記雌端子が前記正規位置に収容されるときに前記雌端子を係止するランスを備え、
前記第二変位抑制部は、前記内壁面上の前記ランスより前記タブ挿入口側の位置において前記延在方向に沿って設けられるリブを有する、
請求項１に記載のコネクタ。
【請求項３】
前記雄端子収容室及び前記雌端子収容室は、複数の前記内壁面により形成され、
前記第一変位抑制部及び前記第二変位抑制部の前記リブは、前記複数の内壁面のうちの一の内壁面に少なくとも２個設けられる、
請求項２に記載のコネクタ。
【請求項４】
前記第一変位抑制部及び前記第二変位抑制部は、前記雄端子と前記雌端子とが嵌合する状態において、前記雄端子の前記タブと前記雌端子の前記弾性接触片との接触部にガスタイトエリアを確保できるように設けられる、
請求項１〜３のいずれか１項に記載のコネクタ。
【発明の詳細な説明】
【技術分野】
【０００１】
本発明は、コネクタに関する。
【背景技術】
【０００２】
従来、雌端子と雄端子とを導電接続することによって、各端子に連結される電線同士を電気的に接続するタイプのコネクタにおいて、例えば端子に連結される電線などを介してコネクタに振動が伝達されると、雌端子と雄端子との間で相対的な変位（ガタ）が発生し、端子間の接点部の接触安定性を損なう場合があった。特許文献１には、防水コネクタにおいて、端子用キャビティの入口に挿入されるゴム栓を高硬度部と低硬度部で形成することで、電線からの振動を吸収し、端子間の接点部の接触安定性を確保する技術が開示されている。
【先行技術文献】
【特許文献】
【０００３】
【特許文献１】特開２０１４−８９９２９号公報
【発明の概要】
【発明が解決しようとする課題】
【０００４】
しかしながら、特許文献１に記載の技術は防水コネクタに限定されるものである。このように、従来のコネクタでは、雄端子と雌端子との接点部の接触安定性に関してさらなる改善の余地がある。
【０００５】
本発明は、上記に鑑みてなされたものであって、雄端子と雌端子との接点部の接触安定性を向上できるコネクタを提供することを目的とする。
【課題を解決するための手段】
【０００６】
上記の課題を解決するため、本発明に係るコネクタは、雄ハウジングと、先端にタブを有する雄端子と、前記雄ハウジングの内部に延在して中空状に形成され、延在方向の一方側に設けられる雄端子挿入口、及び前記延在方向の他方側に設けられるタブ挿出口を有する雄端子収容室と、を備える雄コネクタと、雌ハウジングと、内部に挿入される前記雄端子の前記タブと接触する弾性接触片を有する雌端子と、前記雌ハウジングの内部に延在して中空状に形成され、前記延在方向の前記他方側に設けられる雌端子挿入口、及び前記延在方向の前記一方側に設けられるタブ挿入口を有する雌端子収容室と、を備える雌コネクタと、を具備し、前記雄コネクタ及び前記雌コネクタは、前記雄端子収容室に設けられ、前記雄端子収容室に収容される前記雄端子と接触することで、前記雄端子収容室に対する前記雄端子の相対的な変位を抑制する第一変位抑制部と、前記雌端子収容室に設けられ、前記雌端子収容室に収容される前記雌端子と接触することで、前記雌端子収容室に対する前記雌端子の相対的な変位を抑制する第二変位抑制部と、のうち少なくとも一方を備え、前記第一変位抑制部は、前記雄端子を前記雄端子収容室内の前記延在方向の所定の正規位置に収容するために前記雄端子挿入口から挿入する挿入動作において、前記雄端子を前記延在方向に移動させることができる要求挿入力が最大となる位置より前記タブ挿出口側の位置において、前記雄端子と接触し始めるように形成され、前記第二変位抑制部は、前記雌端子を前記雌端子収容室内の前記延在方向の所定の正規位置に収容するために前記雌端子挿入口から挿入する挿入動作において、前記雌端子を前記延在方向に移動させることができる要求挿入力が最大となる位置より前記タブ挿入口側の位置において、前記雌端子と接触し始めるように形成される、ことを特徴とする。
【０００７】
また、上記のコネクタにおいて、前記雄コネクタは、前記雄端子収容室の内壁面から内部側に突設され、外部側に弾性変形可能に形成され、前記雄端子が前記正規位置に収容されるときに前記雄端子を係止するランスを備え、前記第一変位抑制部は、前記内壁面上の前記ランスより前記タブ挿出口側の位置において前記延在方向に沿って設けられるリブを有し、前記雌コネクタは、前記雌端子収容室の内壁面から内部側に突設され、外部側に弾性変形可能に形成され、前記雌端子が前記正規位置に収容されるときに前記雌端子を係止するランスを備え、前記第二変位抑制部は、前記内壁面上の前記ランスより前記タブ挿入口側の位置において前記延在方向に沿って設けられるリブを有することが好ましい。
【０００８】
また、上記のコネクタにおいて、前記雄端子収容室及び前記雌端子収容室は、複数の前記内壁面により形成され、前記第一変位抑制部及び前記第二変位抑制部の前記リブは、前記複数の内壁面のうちの一の内壁面に少なくとも２個設けられることが好ましい。
【０００９】
また、上記のコネクタにおいて、前記第一変位抑制部及び前記第二変位抑制部は、前記雄端子と前記雌端子とが嵌合する状態において、前記雄端子の前記タブと前記雌端子の前記弾性接触片との接触部にガスタイトエリアを確保できるように設けられることが好ましい。
【発明の効果】
【００１０】
本発明に係るコネクタは、雄コネクタにおいて雄端子収容室に対する雄端子の相対的な変位を抑制するか、または、雌コネクタにおいて雌端子収容室に対する雌端子の相対的な変位を抑制することによって、雄端子と雌端子との間の相対的な変位を抑制でき、雄端子と雌端子との接点部の接触安定性を向上できるという効果を奏する。
【図面の簡単な説明】
【００１１】
【図１】図１は、本発明の一実施形態に係るコネクタの概略構成を示す縦断面図である。
【図２】図２は、図１中の雌コネクタの概略構成を示す分解斜視図である。
【図３】図３は、図２中のＣ−Ｃ断面図である。
【図４】図４は、図２中の雌端子を高さ方向下側から視た斜視図である。
【図５】図５は、図１中のＡ−Ａ断面図であり、雌コネクタを延在方向から視た断面図である。
【図６】図６は、図１中の雄コネクタの概略構成を示す分解斜視図である。
【図７】図７は、図６中のＤ−Ｄ断面図である。
【図８】図８は、図６中の雄端子を高さ方向下側から視た斜視図である。
【図９】図９は、図１中のＢ−Ｂ断面図であり、雄コネクタを延在方向から視た断面図である。
【図１０】図１０は、本実施形態における雄端子の雄端子収容室への挿入動作の第一段階を示す図であり、雄端子がランスと接触し始める状態を示す雄コネクタの縦断面図である。
【図１１】図１１は、本実施形態における雄端子の雄端子収容室への挿入動作の第二段階を示す図であり、挿入力が最大値となる状態を示す雄コネクタの縦断面図である。
【図１２】図１２は、本実施形態における雄端子の雄端子収容室への挿入動作の第三段階を示す図であり、リブに抗して雄端子が挿入される状態を示す雄コネクタの縦断面図である。
【図１３】図１３は、本実施形態における雄端子の雄端子収容室への挿入動作の第四段階を示す図であり、雄端子が雄端子収容室内の正規位置に収容された状態を示す雄コネクタの縦断面図である。
【図１４】図１４は、本実施形態における雄端子の挿入動作中における雄端子の要求挿入力と、ストローク（雄端子の雄端子収容室への挿入量）との関係を示す図である。
【図１５】図１５は、雌端子が雌端子収容室内の正規位置に収容された状態を示す雌コネクタの縦断面図である。
【図１６】図１６は、コネクタ嵌合時における雌端子の接点バネと雄端子のタブとの接触状態を示す模式図である。
【図１７】図１７は、比較例における接点バネと雄端子のタブとの接点位置の移動範囲を示す模式図である。
【図１８】図１８は、本実施形態における接点バネと雄端子のタブとの接点位置の移動範囲を示す模式図である。
【発明を実施するための形態】
【００１２】
以下に、本発明に係るコネクタの実施形態を図面に基づいて説明する。なお、以下の図面において、同一または相当する部分には同一の参照番号を付し、その説明は繰り返さない。
【００１３】
［実施形態］
図１〜９を参照して本発明の一実施形態に係るコネクタの構成について説明する。図１は、本発明の一実施形態に係るコネクタの概略構成を示す縦断面図である。図２は、図１中の雌コネクタの概略構成を示す分解斜視図である。図３は、図２中のＣ−Ｃ断面図である。図４は、図２中の雌端子を高さ方向下側から視た斜視図である。図５は、図１中のＡ−Ａ断面図であり、雌コネクタを延在方向から視た断面図である。図６は、図１中の雄コネクタの概略構成を示す分解斜視図である。図７は、図６中のＤ−Ｄ断面図である。図８は、図６中の雄端子を高さ方向下側から視た斜視図である。図９は、図１中のＢ−Ｂ断面図であり、雄コネクタを延在方向から視た断面図である。
【００１４】
図１に示すように、本実施形態に係るコネクタ１は、雌コネクタ２及び雄コネクタ１２
を具備する。コネクタ１は、雌コネクタ２と雄コネクタ１２とを相互に嵌合させることによって、それぞれの内部に収容される雌端子４及び雄端子１４を導電接続することができる。コネクタ１は、雌端子４と雄端子１４とを導電接続することによって、各端子４，１４に連結される電線同士を電気的に接続する、いわゆる電線対電線接続用の接続機構である。
【００１５】
図１〜３に示すように、雌コネクタ２は、雌ハウジング３及び雌端子４を備える。
【００１６】
雌ハウジング３は、雌コネクタ２の本体を構成する構造体である。雌ハウジング３は、全体が絶縁性の合成樹脂等で構成され、金型等を用いて一体成形される。雌ハウジング３は、全体として略矩形箱（直方体）状に形成されている。雌ハウジング３は、その内部に延在し中空状に形成され、雌端子４を収容可能な複数の雌端子収容室５（キャビティ）を有する。本実施形態では、図２に示すように、雌ハウジング３には、略矩形箱状の外面の一つである前面３１を視たときに、この前面３１の第一の辺方向（図２に示す幅方向）に沿って６個の雌端子収容室５が隣接配置され、かつ、この第一の辺方向と直交する第二の辺方向（図２に示す高さ方向）に沿って２個の雌端子収容室５が隣接配置されており、すなわち６×２＝１２個の雌端子収容室５が設けられている。これらの１２個の雌端子収容室５は、雌ハウジング３の前面３１と、この前面３１の反対側に配置される背面３２とが対向する方向（図２に示す延在方向）に沿って、すべて同一方向に延在して形成されている。
【００１７】
図３に示すように、雌ハウジング３の背面３２には、個々の雌端子収容室５と連通して、雌端子収容室５内に雌端子４を挿入するための雌端子挿入口３３が設けられている。また、雌ハウジング３の前面３１には、個々の雌端子収容室５と連通して、後述する雄端子１４のタブ１９が雌端子収容室５内に進入するのを許容するタブ挿入口３４が設けられている。すなわち、雌端子収容室５は、雌ハウジング３の内部に延在し中空状に形成され、その延在方向の両端である、雌ハウジング３の対向する一対の前面３１及び背面３２に開口されている。
【００１８】
雌端子収容室５は、図３，５に示すように、雌ハウジング３の４つの内壁面、より詳細には第１内壁面５１、第２内壁面５２、第３内壁面５３、第４内壁面５４等によって略矩形状の空間として形成されている。ここで、第１内壁面５１と第２内壁面５２とは、互いに対向する。第３内壁面５３と第４内壁面５４とは、互いに対向すると共に第１内壁面５１及び第２内壁面５２と略直交する。
【００１９】
以下の説明では、図２，３に示す雌端子収容室５が延在する方向、すなわち、雌ハウジング３の一対の前面３１及び背面３２が対向する方向（図３の左右方向）を「延在方向」と表記し、前面３１側を「メス前側」、背面３２側を「メス後側」と表記する。また、図３に示す雌端子収容室５の第１内壁面５１と第２内壁面５２とが対向する方向（図３の上下方向）を「高さ方向」と表記し、第１内壁面５１側を「上側」、第２内壁面５２側を「下側」とする。また、雌端子収容室５の第３内壁面５３と第４内壁面５４とが対向する方向（図３の奥行き方向）を「幅方向」と表記する。すなわち、本実施形態では、雌ハウジング３には、延在方向に沿って内部に形成された雌端子収容室５が、高さ方向に２段、幅方向に６室並んで配設されている。雌端子４は、雌ハウジング３の延在方向のメス後側に設けられた雌端子挿入口３３から延在方向のメス前側に向かって雌端子収容室５内に挿入される。なお、以下の説明では、図２，３に示すように、延在方向のうちメス後側からメス前側への方向を「メス挿入方向」とも表記する場合がある。さらに、図１に示すように、雄コネクタ１２は雌コネクタ２と延在方向に沿って正対して配置されるので、延在方向のメス前側を「オス後側」、メス後側を「オス前側」とも表記し、延在方向のうちオス後側からオス前側への方向を「オス挿入方向」とも表記する場合がある。
【００２０】
図３に示すように、雌端子収容室５の第２内壁面５２には、弾性変形可能なランス６が、第２内壁面５２から雌端子収容室５の内部空間側に突出して設けられている。ランス６は、雌端子４が雌端子収容室５内の延在方向の所定の正規位置に収容された状態（図１など参照）で雌端子４を係止可能であり、これにより雌端子４が雌端子挿入口３３から雌端子収容室５の外部に抜け出るのを防止するためのものである。
【００２１】
図３に示すように、ランス６は、第２内壁面５２上の基端部から延在方向前側に延在し、その先端部が自由端となる片持ち状に形成されている。すなわち、ランス６は、その基端部が延在方向後側、その先端部が延在方向前側に配置されており、基端部を支点として先端部が高さ方向に弾性的に撓み変形可能となっている。
【００２２】
ランス６の先端部側かつ高さ方向上側（すなわち雌端子収容室５の内部空間側）に向けて配置される面には、雌端子４を係止するための係止爪部６１（ビーク）が設けられている。係止爪部６１は、ランス６が撓み変形していない自由状態にあるときには、雌端子収容室５の第２内壁面５２よりも高さ方向上側へ位置し、雌端子収容室５の内部空間側へ突出している。ランス６は、雌端子４が雌端子収容室５内の正規位置に収容された状態（図１など参照）で、係止爪部６１が後述する雌端子４のランスホール８に嵌合することで、雌端子４を係止するよう構成されている。
【００２３】
係止爪部６１は、ランス６の基端部側から先端部側に向けて徐々に雌端子収容室５側に張り出すよう、延在方向前側へ向かって上り勾配をなす傾斜上に形成される傾斜面６１ａと、この傾斜面６１ａの延在方向前側の端部から高さ方向下側へ屈曲する段付き状に形成される係止面６１ｂとを有する。係止面６１ｂは、係止爪部６１の延在方向前側の端面であり、延在方向（雌端子収容室５に対する雌端子４の挿入方向）に対して略直交する平面状に形成されている。傾斜面６１ａは、雌端子４の雌端子収容室５への挿入過程において、ランス６のうち雌端子４が最初に接触する部分であり、係止面６１ｂは、雌端子４が雌端子収容室５内の正規位置に収容された状態で雌端子４と接触する部分である。傾斜面６１ａは、雌端子４が雌端子収容室５に挿入される際に、雌端子４の先端が当接し、ランス６全体を押し下げる分力を生じさせる。ランス６は、傾斜面６１ａにより受ける分力によって、高さ方向下側に撓み、雌端子収容室５から外側に退避する。係止面６１ｂは、ランス６全体が弾性復帰した状態で、雌端子４に形成される被係止部（本実施形態では、後述するランスホール８の前端面８ａ）に係止し、雌端子４の離脱を規制する部分である。ランス６は、係止爪部６１の係止面６１ｂが雌端子４の被係止部に係止することで、雌端子４を雌端子収容室５内の延在方向の所定の正規位置に係止する。
【００２４】
図３に示すように、雌ハウジング３には、個々の雌端子収容室５ごとに、各雌端子収容室５と隣接する隣接空間部３５が形成されている。隣接空間部３５は、隣接する雌端子収容室５の延在方向と平行に延在するよう中空状に形成されており、雌ハウジング３の前面３１に開口されている。また、隣接空間部３５は、雌ハウジング３の前面３１を視たときに、隣接する雌端子収容室５のタブ挿入口３４に対して高さ方向下側に隣接して配置される。つまり、隣接空間部３５は、隣接する雌端子収容室５のランス６が設けられる側、すなわち、第２内壁面５２側に形成される。隣接空間部３５は、雌ハウジング３の前面３１からランス６の基端部まで延在する。この隣接空間部３５は、隣接する雌端子収容室５内のランス６が、雌端子収容室５から離間する高さ方向下側へ弾性的に撓み変形するのを許容する撓み空間として機能する。ランス６は、撓み変形時に、隣接空間部３５内に退避するよう構成される。この隣接空間部３５は、例えば、雌端子収容室５内に設けられるランス６を形成するための金型の型抜き用の空間である。
【００２５】
雌端子４は、導電性の金属板材を所定形状に打ち抜き加工した後、叩き加工や曲げ加工などを施すことで所望の形状に成形される端子金具である。図２〜４に示すように、雌端子４は、雄端子１４のタブ１９が挿入可能に構成される箱部７と、電線の芯線部分に加締め付けられる芯線加締め部４１と、電線の被覆部分に加締め付けられる電線加締め部４２とを備える。雌端子４は、延在方向に沿って前側から箱部７、芯線加締め部４１、電線加締め部４２の順で配列され、一体的に形成されている。
【００２６】
箱部７は、延在方向に細長く伸びる角筒状をなし、延在方向の前側及び後側が共に開口して形成されている。箱部７は、図５に示すように、延在方向から視たときの断面形状が略矩形状となる。箱部７は、延在方向に沿って延在する底板７１と、この底板７１の幅方向の両縁端から高さ方向に立ち上がる一対の側板７２，７３と、これらの側板７２，７３のうち一方の側板７２の突出端（上縁端）から他方の側板７３に向けて曲げ形成され、底板７１と対向するように設けられる天板７４と、他方の側板７３の突出端から天板７４の外側に重ねられるようにして曲げ形成された外板７５と、を備える。
【００２７】
図３に示すように、箱部７の中空部分には、板バネ状の接点バネ９（弾性接触片、付勢部）が設けられている。接点バネ９は、天板７４の延在方向の後側の端部から、外板７５の内面に沿うようにして延在方向前側に向けて片持ち状に延出されており、その前端部は自由端となっている。接点バネ９の延在方向後側の支持部９ａは、後半部が外板７５と接するように配されており、前半部は、外板７５の内面側に突設された支点部７５ａによって外板７５からやや離間して配されている。支持部９ａより前側には、外板７５と対向配置される底板７１側に曲げ形成されて頂点部分が形成されている。この頂点部分には、接点部９ｂが底板７１側の方向に打ち出し成形されており、雄端子１４のタブ１９と接触するようになっている（図１参照）。接点部９ｂは、自由状態において、タブ１９が挿入される際にタブ１９が通過する領域まで突出されており、接点バネ９は、タブ１９が箱部７内に挿入されたときに、タブ１９と接触する接点部９ｂが外板７５側に押し出される。これにより、支持部９ａの支点部７５ａとの接点部分を中心として接点バネ９の先端部分が外板７５側に弾性変形し、接点部９ｂが底板７１側に付勢される。これにより、箱部７の内部に挿入された雄端子１４のタブ１９は、接点部９ｂにより底板７１側に押圧される。
【００２８】
図３，４に示すように、箱部７の底板７１には、雌端子４の内部と連通して設けられるランスホール８（被係止部）が形成されている。ランスホール８は、図４に示すように、箱部７の延在方向の略中央位置に、底板７１の幅方向の全幅に亘って形成される開口部であり、底板７１は、ランスホール８によって、延在方向の前側の部分と、後側の部分に分断されている。ランスホール８は、雌端子４が雌端子収容室５内の正規位置に収容される状態で、雌端子収容室５に設けられたランス６が進入可能とされ、ランスホール８の延在方向前側の前端面８ａに対してランス６の係止面６１ｂが係止可能とされている（図１，１５参照）。
【００２９】
図３，４に示すように、ランスホール８の外縁のうち、延在方向前側の部分の略中央位置に、突起部１１が外側（高さ方向下側）へ突出するよう形成されている。言い換えると、突起部１１は、ランスホール８の外縁のうち、雌端子４が雌端子収容室５内の正規位置に収容されるまでにランス６の傾斜面６１ａと当接する部分に形成されている。また、突起部１１は、延在方向後側の後端面１１ａがランスホール８の前端面８ａに沿って形成されている。つまり、突起部１１の後端面１１ａは、ランスホール８の前端面８ａと同一平面をなし、雌端子４にランス６が嵌合する際には、突起部１１の後端面１１ａとランスホール８の前端面８ａとが、ランス６の係止面６１ｂと当接するよう構成されている。
【００３０】
図１，３，５に示すように、雌端子収容室５の第２内壁面５２、第３内壁面５３、及び第４内壁面５４には、各内壁面から雌端子収容室５の内部空間側へ突出する複数のリブ１０（第二変位抑制部）が設けられている。リブ１０は、各内壁面上のランス６よりタブ挿入口３４側の位置において延在方向に沿って形成されている。リブ１０は、雌端子収容室５内の正規位置に雌端子４が収容される状態で、雌端子４の箱部７と接触する状態となることで、雌端子収容室５内での雌端子４の動きを抑制することができるよう構成されている。言い換えると、リブ１０は、雌端子収容室５に収容される雌端子４と接触することで、雌端子４を雌端子収容室５内に強固に保持できると共に、雌端子収容室５に対する雌端子４の相対的な変位を抑制することができる。これにより、コネクタ嵌合時に、例えば雌端子４に接続されている電線などから振動が伝達された場合でも、雌端子４に振動が発生するのを抑制して、雄端子１４側に伝達されるのを抑制できる。ここで、雌端子収容室５に対する雌端子４の相対的な変位とは、主にメス挿入方向と直交する高さ方向に沿った摂動（ガタ）であるが、高さ方向以外の他の方向に沿った雌端子４の摂動や移動、変動も含まれる。
【００３１】
また、リブ１０は、各内壁面に２個ずつ設けられ、これにより、雌端子４の箱部７の底板７１及び側板７２，７３との接触状態を良好に維持することができるよう構成されている。すなわち、本実施形態では、リブ１０は雌端子収容室５内の６か所に設けられている。なお、本実施形態では、雌端子収容室５の第１内壁面５１にリブ１０を設けない構成を例示しているが、これに限られず、第１内壁面５１にもリブ１０を設け、雌端子収容室５内のすべての内壁面にリブ１０を設ける構成としてもよい。また、第１内壁面５１以外の他の内壁面にリブ１０を設けない構成とすることもできる。
【００３２】
また、リブ１０は、各内壁面上のランス６よりタブ挿入口３４側の位置に設けられることで、雌端子４の挿入動作（雌端子４を雌端子収容室５内の延在方向の所定の正規位置に収容するために雌端子挿入口３３から挿入する動作）において、雌端子４を延在方向に移動させることができる要求挿入力が最大となる位置よりタブ挿入口３４側の位置において、雌端子４と接触し始めるように形成されている。これにより、本実施形態の雌コネクタ２は、要求挿入力の最大値を増大させること無く、より強固に雌端子４を雌端子収容室５内に保持することができる。つまり、雌端子収容室５に対する雌端子４の相対的な変位を抑制することと、雌端子収容室５への雌端子４の挿入しやすさを確保することとを両立できる。
【００３３】
図１，６，７に示すように、雄コネクタ１２は、雄ハウジング１３及び雄端子１４を備える。
【００３４】
雄ハウジング１３は、雄コネクタ１２の本体を構成する構造体である。雄ハウジング１３は、雌ハウジング３と同様に、全体が絶縁性の合成樹脂等で構成され、金型等を用いて一体成形される。雄ハウジング１３は、端子収容部１３ａと、嵌合フード部１３ｂとを有する。
【００３５】
図７に示すように、端子収容部１３ａは、雌ハウジング３と同様の構造であり、その内部に雄端子１４を収容可能な複数の雄端子収容室１５を有する。雄端子収容室１５は、雌ハウジング３の雌端子収容室５と同数、同配列で構成されている。
【００３６】
端子収容部１３ａの背面１３２には、個々の雄端子収容室１５と連通して、雄端子収容室１５内に雄端子１４を挿入するための雄端子挿入口１３３が設けられている。また、端子収容部１３ａの前面１３１には、個々の雄端子収容室１５と連通して、雄端子収容室１５内に収容される雄端子１４のタブ１９を挿出させて外部に露出させるタブ挿出口１３４が設けられている。すなわち、雄端子収容室１５は、雄ハウジング１３の端子収容部１３ａの内部に延在し中空状に形成され、その延在方向の両端である、雄ハウジング１３の対向する一対の前面１３１及び背面１３２に開口されている。
【００３７】
嵌合フード部１３ｂは、延在方向のオス前側に開口した筒状の部材である。嵌合フード部１３ｂは、端子収容部１３ａの前面１３１側に連接され、前面１３１の外形に沿って筒状に形成されている。つまり、端子収容部１３ａの前面１３１に設けられるタブ挿出口１３４は、嵌合フード部１３ｂの内部空間に開口し、このタブ挿出口１３４から挿出される雄端子１４のタブ１９は、嵌合フード部１３ｂの内部空間に露出される。
【００３８】
嵌合フード部１３ｂは、雌ハウジング３を内部空間に嵌合可能に構成されている。嵌合フード部１３ｂの内周面には、雌ハウジング３を内部側へ誘導するための各種のガイド部材や、雌ハウジング３を係止する係止部材が設けられている。嵌合フード部１３ｂは、雌ハウジング３を嵌合した状態において、端子収容部１３ａの個々のタブ挿出口１３４が、雌ハウジング３のタブ挿入口３４と対向配置され、タブ挿出口１３４から挿出される雄端子１４のタブ１９がタブ挿入口３４を介して雌端子４へ挿入されるように構成されている（図１参照）。
【００３９】
雄端子収容室１５は、図７，９に示すように、雌端子収容室５と同様に、第１内壁面１５１、第２内壁面１５２、第３内壁面１５３、第４内壁面１５４等によって略矩形状の空間として形成されている。また、図７に示すように、雄端子収容室１５の第２内壁面１５２にも、雌端子収容室５のランス６と同様の構成をとるランス１６が設けられている。ランス１６の各要素（係止爪部１６１、傾斜面１６１ａ、係止面１６１ｂ）は、ランス６の各要素（係止爪部６１、傾斜面６１ａ、係止面６１ｂ）と同様の形状、機能を有する。また、個々の雄端子収容室１５ごとに設けられる隣接空間部１３５も、雌端子収容室５の隣接空間部３５と同様の形状、機能を有する。
【００４０】
雄端子１４は、雌端子４と同様の材料、加工により成形される端子金具である。雄端子１４は、図６〜８に示すように、箱部１７、芯線加締め部１４１、電線加締め部１４２を備える。芯線加締め部１４１及び電線加締め部１４２は、雌端子４の芯線加締め部４１及び電線加締め部４２と同様である。
【００４１】
箱部１７は、雌端子４の箱部７と同様に、延在方向に細長く伸びる角筒状をなし、図９に示すように、延在方向から視たときの断面形状が略矩形状となる。箱部１７は、延在方向に沿って延在する底板１７１と、この底板１７１の幅方向の両縁端から高さ方向に立ち上がる一対の側板１７２，１７３と、これらの側板１７２，１７３のうち一方の側板１７３の突出端（上縁端）から他方の側板１７２に向けて曲げ形成され、底板１７１と対向するように設けられる天板１７４と、を備える。また、箱部１７は、延在方向のオス前側（先端側）に、延在方向に沿って形成されるタブ１９を有する。タブ１９は、コネクタ嵌合時に、雌端子４の箱部７の内部に挿入され、接点バネ９と接触できるように形成されている。
【００４２】
箱部１７の底板１７１には、ランスホール１８が形成されている。ランスホール１８は、雌端子４のランスホール８と同様に、雄端子１４が雄端子収容室１５内の正規位置に収容される状態で、雄端子収容室１５に設けられたランス１６が進入可能とされ、ランスホール１８の延在方向前側の前端面１８ａに対してランス１６の係止面１６１ｂが係止可能とされている（図１，１３参照）。また、ランスホール１８の外縁には、雌端子４の突起部１１と同様の形状、機能を有する突起部１１１が形成され、雄端子１４にランス１６が嵌合する際には、突起部１１１の後端面１１１ａとランスホール１８の前端面１８ａとが、ランス１６の係止面１６１ｂと当接するよう構成されている。
【００４３】
図１，７，９に示すように、雄端子収容室１５の第１内壁面１５１、第２内壁面１５２、第３内壁面１５３、及び第４内壁面１５４には、雌コネクタ２のリブ１０と同様のリブ１１０（第一変位抑制部）が設けられている。リブ１１０は、各内壁面上のランス１６よりタブ挿出口１３４側の位置において延在方向に沿って形成されている。リブ１１０は、雄端子収容室１５内の正規位置に雄端子１４が収容される状態で、雄端子１４の箱部１７と接触する状態となることで、雄端子収容室１５内での雄端子１４の動きを抑制することができるよう構成されている。言い換えると、リブ１１０は、雄端子収容室１５に収容される雄端子１４と接触することで、雄端子１４を雄端子収容室１５内に強固に保持できると共に、雄端子収容室１５に対する雄端子１４の相対的な変位を抑制することができる。これにより、コネクタ嵌合時に、例えば雄端子１４に接続されている電線などから振動が伝達された場合でも、雄端子１４に振動が発生するのを抑制して、雌端子４側に伝達されるのを抑制できる。ここで、雄端子収容室１５に対する雄端子１４の相対的な変位とは、主にオス挿入方向と直交する高さ方向に沿った摂動（ガタ）であるが、高さ方向以外の他の方向に沿った雄端子１４の摂動や移動、変動も含まれる。
【００４４】
また、リブ１１０は、各内壁面に２個ずつ設けられ、これにより、雄端子１４の箱部１７の底板１７１、側板１７２，１７３、及び天板１７４との接触状態を良好に維持することができるよう構成されている。すなわち、本実施形態では、リブ１１０は雄端子収容室１５内の８か所に設けられている。なお、雌端子収容室５内の第１内壁面１５１、第２内壁面１５２、第３内壁面１５３、及び第４内壁面１５４のいずれかにリブ１１０を設けない構成とすることもできる。
【００４５】
また、リブ１１０は、各内壁面上のランス１６よりタブ挿出口１３４側の位置に設けられることで、雄端子１４の挿入動作（雄端子１４を雄端子収容室１５内の延在方向の所定の正規位置に収容するために雄端子挿入口１３３から挿入する動作）において、雄端子１４を延在方向に移動させることができる要求挿入力が最大となる位置よりタブ挿出口１３４側の位置において、雄端子１４と接触し始めるように形成されている。これにより、本実施形態の雄コネクタ１２は、要求挿入力の最大値を増大させること無く、より強固に雄端子１４を雄端子収容室１５内に保持することができる。つまり、雄端子収容室１５に対する雄端子１４の相対的な変位を抑制することと、雄端子収容室１５への雄端子１４の挿入しやすさを確保することとを両立できる。
【００４６】
次に、図１０〜１３を参照して、本実施形態に係る雄コネクタ１２における雄端子１４の挿入動作について説明する。図１０は、本実施形態における雄端子の雄端子収容室への挿入動作の第一段階を示す図であり、雄端子がランスと接触し始める状態を示す雄コネクタの縦断面図である。図１１は、本実施形態における雄端子の雄端子収容室への挿入動作の第二段階を示す図であり、挿入力が最大値となる状態を示す雄コネクタの縦断面図である。図１２は、本実施形態における雄端子の雄端子収容室への挿入動作の第三段階を示す図であり、リブに抗して雄端子が挿入される状態を示す雄コネクタの縦断面図である。図１３は、本実施形態における雄端子の雄端子収容室への挿入動作の第四段階を示す図であり、雄端子が雄端子収容室内の正規位置に収容された状態を示す雄コネクタの縦断面図である。
【００４７】
まず、図６，７に示すように、雄端子１４が延在方向のオス挿入方向へ向けて、雄ハウジング１３の雄端子挿入口１３３から雄端子収容室１５へ挿入され、オス挿入方向に沿って雄端子収容室１５の内部空間を進行すると、図１０に示す第一段階のように、雄端子１４の箱部１７の先端がランス１６の係止爪部１６１の傾斜面１６１ａと当接する。雄端子１４は、雄端子収容室１５内に突出しているランス１６に当接することで、オス挿入方向へのさらなる移動に対してランス１６から抵抗を受ける。このため、雄端子１４がランス１６と当接した後からは、ランス１６による抵抗に抗して雄端子収容室１５内に雄端子１４をさらに挿入させるために要求される大きさの挿入力が、雄端子１４にオス挿入方向から付加される必要がある。以下の説明では、ランス１６（及び後述するリブ１１０）による抵抗に抗して雄端子収容室１５内で雄端子１４を延在方向（特にオス挿入方向）に移動させるために要求される最低限の外力を「要求挿入力」と表現する。この要求挿入力は、雄端子１４とランス１６との接触箇所や接触方向が変わるのに応じて、逐次変更するものである。また、この要求挿入力とは、雄端子１４に付加されるオス挿入方向の外力に対して発生する反力（抗力）とも表現することができる。
【００４８】
この要求挿入力によって、雄端子１４がランス１６の傾斜面１６１ａをオス挿入方向へ押圧することで、傾斜面１６１ａはランス１６全体を高さ方向下側に押し下げる分力を生じ、ランス１６はこの分力によって隣接空間部１３５側へ撓み変形する。雄端子１４は、付加される要求挿入力によってランス１６を撓み変形（弾性変形）させながら、雄端子収容室１５内に挿入されて行く。ランス１６の傾斜面１６１ａは、雄端子１４の雄端子収容室１５内の進行に伴い、接触する雄端子１４の部位が、箱部１７の先端、底板１７１、突起部１１１の順で遷移して行く。そして、図１１に示す第二段階のように、ランス１６の傾斜面１６１ａが雄端子１４の突起部１１１と当接し、係止爪部１６１が雄端子収容室１５から隣接空間部１３５に退避された状態において、要求挿入力が最大値Ｐ１（図１５参照）となり、次いでランス１６の撓み変形量（弾性変形量）が最大値となる。このとき、図１１に示すように、雄端子１４の電線加締め部１４２は、雄端子挿入口１３３から突出している。
【００４９】
雄端子１４の要求挿入力が最大値Ｐ１となった後には、雄端子１４の挿入動作は慣性によって継続される。そして、図１２に示す第三段階のように、雄端子１４の箱部１７の先端が、第１内壁面１５１、第２内壁面１５２、第３内壁面１５３、及び第４内壁面１５４にそれぞれ設けられるリブ１１０と接触し始める。雄端子１４は、雄端子収容室１５内に突出しているリブ１１０に当接することで、オス挿入方向へのさらなる移動に対してリブ１１０から抵抗を受ける。そこで、雄端子１４がリブ１１０と当接した後からは、リブ１１０による抵抗に抗して雄端子収容室１５内に雄端子１４をさらに挿入させるための要求挿入力が、オス挿入方向から雄端子１４に付加される。
【００５０】
この要求挿入力によって、雄端子１４がリブ１１０をオス挿入方向へ押圧することで、雄端子１４はリブ１１０による抵抗に抗しつつ、雄端子収容室１５内にさらに挿入されて行く。やがて、雄端子１４が雄端子収容室１５の最深まで到達し、図１３に示す第四段階のように、挿入動作完了の状態（雄端子１４が雄端子収容室１５内の正規位置に収容された状態）まで遷移される。より詳細には、雄端子１４の突起部１１１がランス１６の傾斜面１６１ａの延在方向の前側の端部を乗り越えて係止爪部１６１よりオス前側へ進出すると、自由状態となったランス１６が弾性復帰して、係止爪部１６１が雄端子１４のランスホール１８に嵌合されると共に、係止爪部１６１の係止面１６１ｂが、雄端子１４のランスホール１８の前端面１８ａ及び突起部１１１の後端面１１１ａと当接される。このとき、雄端子１４の箱部１７の先端部分は、雄端子収容室１５内の複数のリブ１１０によって挟止され、これにより雄端子１４が雄端子収容室１５内に確実に保持されている。また、このとき、雄端子１４の電線加締め部１４２は、雄端子挿入口１３３より雄端子収容室１５内に完全に収容されている。
【００５１】
ここで、図１４を参照して、本実施形態における雄端子１４の挿入動作についてさらに説明する。図１４は、本実施形態における雄端子の挿入動作中における雄端子の要求挿入力と、ストローク（雄端子の雄端子収容室への挿入量）との関係を示す図である。図１４の縦軸は要求挿入力［Ｎ］を表し、横軸はストローク［ｍｍ］を表す。図１４では、上記の図１０〜１３に示す挿入動作における要求挿入力の推移を実線のグラフで図示している。なお、図１４の横軸のストロークは、図１０に示す挿入動作の第一段階の位置をＤ０として表し、図１１に示す第二段階の位置をＤ１として表し、図１２に示す第三段階をＤ２として表し、図１３に示す第四段階をＤ３として表している。
【００５２】
図１４に示すように、挿入動作の第一段階であるストロークＤ０において、雄端子１４の箱部１７の先端が雄端子収容室１５内のランス１６の傾斜面１６１ａに接触すると、ランス１６を撓み変形させてさらに奥側へ進出させるために、オス挿入方向への要求挿入力が雄端子１４に付与され始める。この要求挿入力は、雄端子１４のストロークが増えるごとに、つまりランス１６の撓み変形量が増えるごとに徐々に増大して行き、挿入動作の第二段階であるストロークＤ１において最大値Ｐ１となる。
【００５３】
さらに雄端子１４の挿入が進むとランス１６による抵抗が減るため要求挿入力は低減して行く。そして、挿入動作の第三段階であるストロークＤ２において、雄端子１４の箱部１７の先端が雄端子収容室１５内のリブ１１０に接触すると、リブ１１０による抵抗が追加されるため、要求挿入力が再び増加してピーク値Ｐ２となる。その後、さらに雄端子１４の挿入が進むとリブ１１０による抵抗が減って要求挿入力は低減して行き、挿入動作の第四段階であるストロークＤ３において０となり、雄端子１４の挿入動作が完了する。
【００５４】
ここで、図１４に図示する点線のグラフは、本実施形態とは異なり雄端子収容室１５内にリブ１１０を設けない場合の雄端子の挿入動作における要求挿入力の推移を示す比較例である。図１４に示すように、本実施形態では、雄端子収容室１５内にリブ１１０を設けることにより挿入動作中に雄端子１４が受ける抵抗が増加するため、雄端子１４がリブ１１０と接触している区間（主にストロークＤ２〜Ｄ３間）において、比較例よりも要求挿入力が増加していることがわかる。
【００５５】
ところで、本実施形態では、上述のとおり、リブ１１０は、各内壁面上のランス１６よりタブ挿出口１３４側の位置に設けられることで、雄端子１４の挿入動作において要求挿入力が最大となる位置（図１４のストロークＤ１）よりタブ挿出口１３４側（ストロークＤ３側）の位置において、雄端子１４と接触し始めるように形成されている。このため、リブ１１０による抵抗による要求挿入力のピーク値Ｐ２が生じる位置Ｄ２は、必ずＤ１とＤ３との間となる。したがって、本実施形態では、リブ１１０を設ける構成は、要求挿入力の最大値Ｐ１に影響を与えていないので、要求挿入力を増加させること無く雄端子収容室１５内での雄端子１４の相対変位を抑制することができる。
【００５６】
次に、図３，１５を参照して、本実施形態に係る雌コネクタ２における雌端子４の挿入動作について説明する。図１５は、雌端子が雌端子収容室内の正規位置に収容された状態を示す雌コネクタの縦断面図である。雌コネクタ２における雌端子４の挿入動作は、図１０〜１３を参照して説明した雄端子１４の挿入動作と同様である。すなわち、図３に示すように、雌端子４が延在方向のメス挿入方向へ向けて、雌ハウジング３の雌端子挿入口３３から雌端子収容室５へ挿入されると、雌端子４と接触したランス６が高さ方向下側へ撓み変形されながら雌端子４が雌端子収容室５内に進入する。そして、雌端子４が雌端子収容室５内の正規位置まで挿入された時点で、ランス６が弾性復帰して、図１５に示すようにランス６の係止爪部６１がランスホール８に嵌合された状態となり、雌端子４を係止した状態となる。このとき、ランス６の係止面６１ｂが、雌端子４の底板７１のランスホール８の前端面８ａを係止している。また、このとき、雌端子４の箱部７の先端部分は、雌端子収容室５内の複数のリブ１０によって挟止され、これにより雌端子４が雌端子収容室５内に確実に保持されている。
【００５７】
このように、本実施形態のコネクタ１は、雄コネクタ１２の雄端子収容室１５内にリブ１１０を設けることによって、雄端子収容室１５内に収容される雄端子１４の相対変位（雄端子収容室１５に対する雄端子１４の相対的な変位）の発生を抑制できるよう構成されている。同様に、コネクタ１は、雌コネクタ２の雌端子収容室５内にリブ１０を設けることによって、雌端子収容室５内に収容される雌端子４の相対変位（雌端子収容室５に対する雌端子４の相対的な変位）の発生を抑制できるよう構成されている。そして、本実施形態のコネクタ１は、このように雌端子４及び雄端子１４の相対変位を低減することによって、コネクタ嵌合時の雌端子４と雄端子１４との接点部分の接触安定性を向上させることが可能となっている。図１６〜１８を参照して、この効果について詳細に説明する。図１６は、コネクタ嵌合時における雌端子の接点バネと雄端子のタブとの接触状態を示す模式図である。図１７は、比較例における接点バネと雄端子のタブとの接点位置の移動範囲を示す模式図である。図１８は、本実施形態における接点バネと雄端子のタブとの接点位置の移動範囲を示す模式図である。
【００５８】
図１６に示すように、コネクタ嵌合時には、雄端子１４のタブ１９は、雌端子４の箱部７内に挿入され、接点バネ９によって高さ方向に押圧されることで、接点バネ９との接触が接点Ｘ（接触部）にて維持されている。ここで、雄端子１４に高さ方向に沿ったガタが生じる場合を考える。このとき、雄端子１４のタブ１９は高さ方向の位置が変動し、例えば図１６にタブ１９´として示すように、接点バネ９から離間する高さ方向下側に移動する。このとき、接点バネ９はタブ１９側に付勢されているので、タブ１９´に追従して高さ方向下側に弾性回復し、接点バネ９´の形状となる。これにより、接点バネ９´とタブ１９´との接点Ｘ´は、変動前の接点バネ９とタブ１９との接点Ｘと比較して延在方向に沿って移動する。つまり雄端子１４の高さ方向のガタに連動して、雄端子１４のタブ１９と雌端子４の接点バネ９との接点は、延在方向に沿ってタブ１９上を摺動する。
【００５９】
図１７，１８には、任意の時点における雄端子１４のタブ１９と雌端子４の接点バネ９との接点Ｘを円形で図示し、タブ１９の変動中の接点Ｘの移動範囲を複数の円で図示している。図１７に比較例として示すように、雌端子４及び雄端子１４のガタが大きい場合には、タブ１９の変動中の接点Ｘの移動量が大きく、変動中の各時点の接点Ｘには共通部分が無い。一方、図１８に示すように、本実施形態の構成により雌端子４及び雄端子１４のガタを抑制している場合には、比較例と比較してタブ１９の変動中の接点Ｘの移動量が小さくなるので、変動中の各時点の接点Ｘには共通部分Ｙが生じている。この共通部分Ｙは、接点バネ９とタブ１９との接点Ｘのタブ１９上の摺動によらず、常に接点バネ９とタブ１９とが接触し続けている部分である。この共通部分Ｙは、摺動によっても大気に暴露されない部分であり、所謂ガスタイトエリアとも表現することができる。ガスタイトエリアでは、表面の酸化や摩耗の発生が抑制されており、良好な接触状態が維持されていると考えられる。
【００６０】
以上より、本実施形態のコネクタ１は、雌端子収容室５及び雄端子収容室１５にそれぞれリブ１０，１１０を設けることで、雌端子４及び雄端子１４のガタ（相対変位）を低減することができる。これにより、コネクタ嵌合時の雌端子４と雄端子１４との接点部分である接点バネ９とタブ１９との接点Ｘのタブ１９上の摺動を抑制し、摺動に伴う接点Ｘの移動範囲にガスタイトエリアを確保することが可能となり、この結果、コネクタ嵌合時の雌端子４と雄端子１４との接点部分の接触安定性を向上させることが可能となる。コネクタ嵌合時の接触安定性を向上することで、接点部分における摩耗を抑制できる。
【００６１】
さらに、本実施形態のコネクタ１は、図１４を参照して説明したように、雌端子収容室５及び雄端子収容室１５にそれぞれ設けられるリブ１０，１１０を、雌端子４及び雄端子１４の挿入動作において要求挿入力の最大値となる位置より奥側（タブ挿入口３４、タブ挿出口１３４の側）にて雌端子４及び雄端子１４と接触し始めるように形成される。これにより、要求挿入力の最大値を増加させること無く雌端子４及び雄端子１４を雌端子収容室５及び雄端子収容室１５に収容させることができるので、雌端子収容室５及び雄端子収容室１５における雌端子４及び雄端子１４の保持構造をより強固にしつつ、雌端子４及び雄端子１４の雌端子収容室５及び雄端子収容室１５への挿入しやすさを確保できる。
【００６２】
また、本実施形態のコネクタ１では、雌端子収容室５に設けられるリブ１０と、雄端子収容室１５に設けられるリブ１１０とは、雌端子４及び雄端子１４の相対変位を抑制させることで、雄端子１４のタブ１９と雌端子４の接点バネ９との接触部（図１６〜１８の接点Ｘ）にガスタイトエリアを確保できるように形成されている。これにより、端子接触部の良好な接触状態を維持でき、接触安定性をさらに向上させることができる。
【００６３】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態及びその変形は、発明の範囲や要旨に含まれると同様に、特許請求の範囲に記載された発明とその均等の範囲に含まれるものである。
【００６４】
上記実施形態では、コネクタ１の構成の一例として非防水コネクタを例示したが、本発明は防水コネクタにも適用可能である。
【００６５】
上記実施形態では、雌端子収容室５に対する雌端子４の相対的な変位を抑制するための手段として、雌コネクタ２の雌端子収容室５にリブ１０を設ける構成を例示したが、雌端子収容室５に収容される雌端子４と接触することで、雌端子収容室５に対する雌端子４の相対的な変位（ガタ）を抑制することができればよく、例えば雌端子収容室５の内壁面の一部の形状や性状を変更することで雌端子４を保持する力を向上する構成など、リブ１０以外の要素に置き換えてもよい。また、リブ１０と他の要素とを併用して、雌端子収容室５に対する雌端子４の相対的な変位を抑制する構成としてもよい。
【００６６】
同様に、上記実施形態では、雄端子収容室１５に対する雄端子１４の相対的な変位を抑制するための手段として、雄コネクタ１２の雄端子収容室１５にリブ１１０を設ける構成を例示したが、雄端子収容室１５に収容される雄端子１４と接触することで、雄端子収容室１５に対する雄端子１４の相対的な変位を抑制することができればよく、例えば雄端子収容室１５の内壁面の一部の形状や性状を変更することで雄端子１４を保持する力を向上する構成など、リブ１１０以外の要素に置き換えてもよい。また、リブ１１０と他の要素とを併用して、雄端子収容室１５に対する雄端子１４の相対的な変位を抑制する構成としてもよい。
【００６７】
上記実施形態では、雌端子４及び雄端子１４の相対変位を抑制し、雌端子４と雄端子１４との接点部分の接触安定性を向上させるために、雌コネクタ２の雌端子収容室５にリブ１０を設け、雄コネクタ１２の雄端子収容室１５にリブ１１０を設ける構成を例示したが、リブ１０及びリブ１１０のいずれか一方を設ける構成とすることもできる。つまり、雌コネクタ２の雌端子収容室５にリブ１０を設け、雄コネクタ１２の雄端子収容室１５にはリブ１１０を設けない構成や、雄コネクタ１２の雄端子収容室１５にリブ１１０を設け、雌コネクタ２の雌端子収容室５にリブ１０を設けない構成としてもよい。なお、雌端子４と雄端子１４との嵌合状態を考慮すると、雌端子４は雄端子１４に連動する場合が多いと考えられる。つまり、雄端子１４の相対変位を抑制できれば、これに伴い雌端子４の相対変位も抑制できると考えられる。したがって、雄コネクタ１２の雄端子収容室１５に設けるリブ１１０の数を、雌コネクタ２の雌端子収容室５に設けるリブ１０の数より多くして、雄端子１４の相対変位を雌端子４のものより低減できる構成とするのが好ましい。
【００６８】
また、上記実施形態では、雌コネクタ２の雌端子収容室５内の１つの内壁面にリブ１０を２個設ける構成、及び、雄コネクタ１２の雄端子収容室１５内の１つの内壁面にリブ１１０を２個設ける構成を例示したが、これらに限られず、１つの内壁面に設けるリブ１０，１１０の数を１個または、３個以上としてもよい。
【００６９】
また、上記実施形態では、雄コネクタ１２において、要求挿入力の最大値Ｐ１が雄端子１４の全体が雄端子収容室１５内に収容される前に生じるように、挿入動作中に相互に接触する雄端子１４と雄端子収容室１５の接触部を形成する構成の一例として、雄端子１４のランスホール１８の外縁に突起部１１１を設ける構成を例示したが、これ以外の構成としてもよい。例えば、ランス１６の傾斜面１６１ａに突起を設ける構成としてもよい。また、ランス１６の傾斜面１６１ａの雄端子収容室１５側への突出量を増やす構成とすることもできる。言い換えると、雄端子１４の一部が雄端子挿入口１３３から突出している位置で要求挿入力が最大となるように、ランス１６の傾斜面１６１ａが形成される構成とすることもできる。なお、この構成は雌コネクタ２でも同様である。
【００７０】
また、上記実施形態では、雄コネクタ１２において、雄端子１４のランスホール１８に、雄端子収容室１５内のランス１６の係止爪部１６１を嵌合させる構成を例示したが、これ以外の係止機構でもよい。例えば雄端子１４にランスホール１８を設けず、雄端子収容室１５側のランス１６が雄端子１４の箱部１７の後端に係止される構成でもよい。この場合、挿入力最大値Ｐ１の特性を上記実施形態と同様にするためには、例えば、箱部１７の外周面のうち、挿入動作中にランス１６と当接する部分に上記実施形態と同様の突起部１１１を設ける構成とすることができる。また、ランス１６の傾斜面１６１ａに突起を設けたり、ランス１６の雄端子収容室１５の内部側への突出量を増加する構成とすることもできる。
【符号の説明】
【００７１】
１  コネクタ
２  雌コネクタ
３  雌ハウジング
３３  雌端子挿入口
３４  タブ挿入口
４  雌端子
５  雌端子収容室
５１  第１内壁面
５２  第２内壁面
５３  第３内壁面
５４  第４内壁面
６  ランス
９  接点バネ（弾性接触片）
１０  リブ（第二変位抑制部）
１２  雄コネクタ
１３  雄ハウジング
１３３  雄端子挿入口
１３４  タブ挿出口
１４  雄端子
１５  雄端子収容室
１５１  第１内壁面
１５２  第２内壁面
１５３  第３内壁面
１５４  第４内壁面
１６  ランス
１９  タブ
１１０  リブ（第一変位抑制部）
Ｘ  接点（接触部）
Ｙ  共通部分（ガスタイトエリア）
【図１】
2016054095.tif 000003
【図２】
2016054095.tif 000004
【図３】
2016054095.tif 000005
【図４】
2016054095.tif 000006
【図５】
2016054095.tif 000007
【図６】
2016054095.tif 000008
【図７】
2016054095.tif 000009
【図８】
2016054095.tif 000010
【図９】
2016054095.tif 000011
【図１０】
2016054095.tif 000012
【図１１】
2016054095.tif 000013
【図１２】
2016054095.tif 000014
【図１３】
2016054095.tif 000015
【図１４】
2016054095.tif 000016
【図１５】
2016054095.tif 000017
【図１６】
2016054095.tif 000018
【図１７】
2016054095.tif 000019
【図１８】
2016054095.tif 000020